(57)【要約】【課題】  最小限の空気調和装置を用いて、複数の部屋における快適性と省エネルギーとを両立させることができる気流設定支援装置、気流設定支援システムを提供する。【解決手段】  気流設定支援装置１は、家屋Ｈ１における部屋の間取りおよびエアコン２の配置に関する部屋情報を取得する部屋情報取得部１１と、部屋の間取りとエアコン２の配置との組み合わせの各々に対応させて、送風装置３の設置位置に関する最適配置情報を格納したデータベース１３と、部屋情報取得部１１が取得した部屋情報に対応する最適配置情報を、データベース１３から抽出する配置抽出部１４と、配置抽出部１４が抽出した最適配置情報をパソコン４へ出力する情報出力部１５とを備える。【選択図】図１
2012145278.tif 000002
【特許請求の範囲】
【請求項１】
互いに連通した複数の部屋を有する空間内の温熱環境を変動させる空気調和装置を１つ以上の前記部屋に設け、前記空間内に送風装置を配置することによって前記空間内に気流を発生させる空気調和システムに用いられる気流設定支援装置であって、
前記空間における前記部屋の間取りおよび前記空気調和装置の配置に関する部屋情報を取得する部屋情報取得部と、
前記部屋の間取りと前記空気調和装置の配置との組み合わせの各々に対応させて、前記送風装置の設置位置に関する最適配置情報を格納したデータベースと、
前記部屋情報取得部が取得した前記部屋情報に対応する前記最適配置情報を、前記データベースから抽出する配置抽出部と、
前記配置抽出部が抽出した前記最適配置情報を出力する情報出力部と
を備えることを特徴とする気流設定支援装置。
【請求項２】
前記空間内に設けた温度計測部から温度情報を取得する温度情報取得部と、
前記温度情報取得部が取得した温度情報を閾値と比較することによって、前記配置抽出部が抽出した設置位置に、前記送風装置が設けられているか否かを判定する配置評価部と
を備えることを特徴とする請求項１記載の気流設定支援装置。
【請求項３】
前記空間内に設けた風力計測部から風力情報を取得する風力情報取得部と、
前記風力情報取得部が取得した風力情報を閾値と比較することによって、前記配置抽出部が抽出した設置位置に、前記送風装置が設けられているか否かを判定する配置評価部と
を備えることを特徴とする請求項１または２記載の気流設定支援装置。
【請求項４】
前記最適配置情報は、前記送風装置の設置位置および送風方向に関する情報であることを特徴とする請求項１乃至３いずれか記載の気流設定支援装置。
【請求項５】
前記データベースは、前記部屋の間取りと前記空気調和装置の配置との組み合わせの各々に対応させて、前記送風装置の風量下限値に関する風量下限値情報を格納し、
前記配置抽出部は、前記部屋情報取得部が取得した前記部屋情報に対応する前記最適配置情報および前記風量下限値情報を、前記データベースから抽出し、
前記情報出力部は、前記配置抽出部が抽出した前記最適配置情報および前記風量下限値情報を出力する
ことを特徴とする請求項１乃至４いずれか記載の気流設定支援装置。
【請求項６】
前記配置抽出部が抽出した前記送風装置の設置位置に前記送風装置を移動させる移動制御部を備えることを特徴とする請求項１乃至５いずれか記載の気流設定支援装置。
【請求項７】
互いに連通した複数の部屋を有する空間内の温熱環境を変動させる空気調和装置を１つ以上の前記部屋に設け、前記空間内に送風装置を配置することによって前記空間内に気流を発生させる空気調和システムに用いられる気流設定支援システムであって、
前記空間における前記部屋の間取りおよび前記空気調和装置の配置に関する部屋情報を設定する部屋情報設定部と、
前記部屋の間取りと前記空気調和装置の配置との組み合わせの各々に対応させて、前記送風装置の設置位置に関する最適配置情報を格納したデータベースと、
前記部屋情報設定部が設定した前記部屋情報に対応する前記最適配置情報を、前記データベースから抽出する配置抽出部と、
前記配置抽出部が抽出した前記最適配置情報を提示する情報提示部と
を備えることを特徴とする気流設定支援システム。
【発明の詳細な説明】
【技術分野】
【０００１】
本発明は、複数の部屋で構成される空間内の温熱環境を変動させる空気調和装置を１つ以上の部屋に設け、空間内に送風装置を配置することによって空間内に気流を発生させて、空間内の温熱環境を調整する空気調和システムに用いる気流設定支援装置、気流設定支援システムに関するものである。
【背景技術】
【０００２】
従来、エアコン等の空気調和装置を部屋に設置し、部屋内の温度、湿度等の温熱環境を調整することによって、部屋内を快適な温度、湿度に保つことができる。
【０００３】
さらに、部屋内に送風装置を設置し、送風装置から吹き出す気流によって、部屋内の空気を循環させることによって、部屋内の温度分布を均一にすることが提案されている（例えば、特許文献１参照）。
【先行技術文献】
【特許文献】
【０００４】
【特許文献１】特開２００７−８５６６０号公報
【発明の概要】
【発明が解決しようとする課題】
【０００５】
例えば、エアコンを設置している部屋では、夏季において冷房時の目標温度を２８℃に設定することによって、快適性と省エネルギーとを両立させることができる。
【０００６】
しかしながら、家屋にはリビング、キッチン、寝室等の複数の部屋があり、空気調和装置を設置していない部屋では、快適な温熱環境を保つことができない。而して、部屋毎にエアコンを設置することが考えられるが（例えば、３部屋であれば、エアコン３台）、エアコンの台数が増えるにしたがって、消費電力量が増加し、省エネルギー化に反することになる。
【０００７】
そこで、１台のエアコンが吹き出す冷気（冬季であれば暖気）を複数の部屋の各々に循環させようとする方法が従来からあり、この方法を実践している家庭もある。しかし、空気を複数の部屋に循環させるために効果的な気流が発生していることを確認することは、困難である。また、効果的な気流が発生していない場合、夏季であれば、エアコンの目標温度を下げ、冬季であれば、エアコンの目標温度を上げることによって、複数の部屋における快適性を１台のエアコンで保つことは可能である。しかし、消費電力が増加し、省エネルギー化に反することになる。
【０００８】
本発明は、上記事由に鑑みてなされたものであり、その目的は、最小限の空気調和装置を用いて、複数の部屋における快適性と省エネルギーとを両立させることができる気流設定支援装置、気流設定支援システムを提供することにある。
【課題を解決するための手段】
【０００９】
本発明の気流設定支援装置は、互いに連通した複数の部屋を有する空間内の温熱環境を変動させる空気調和装置を１つ以上の前記部屋に設け、前記空間内に送風装置を配置することによって前記空間内に気流を発生させる空気調和システムに用いられる気流設定支援装置であって、前記空間における前記部屋の間取りおよび前記空気調和装置の配置に関する部屋情報を取得する部屋情報取得部と、前記部屋の間取りと前記空気調和装置の配置との組み合わせの各々に対応させて、前記送風装置の設置位置に関する最適配置情報を格納したデータベースと、前記部屋情報取得部が取得した前記部屋情報に対応する前記最適配置情報を、前記データベースから抽出する配置抽出部と、前記配置抽出部が抽出した前記最適配置情報を出力する情報出力部とを備えることを特徴とする。
【００１０】
この発明において、前記空間内に設けた温度計測部から温度情報を取得する温度情報取得部と、前記温度情報取得部が取得した温度情報を閾値と比較することによって、前記配置抽出部が抽出した設置位置に、前記送風装置が設けられているか否かを判定する配置評価部とを備えることが好ましい。
【００１１】
この発明において、前記空間内に設けた風力計測部から風力情報を取得する風力情報取得部と、前記風力情報取得部が取得した風力情報を閾値と比較することによって、前記配置抽出部が抽出した設置位置に、前記送風装置が設けられているか否かを判定する配置評価部とを備えることが好ましい。
【００１２】
この発明において、前記最適配置情報は、前記送風装置の設置位置および送風方向に関する情報であることが好ましい。
【００１３】
この発明において、前記データベースは、前記部屋の間取りと前記空気調和装置の配置との組み合わせの各々に対応させて、前記送風装置の風量下限値に関する風量下限値情報を格納し、前記配置抽出部は、前記部屋情報取得部が取得した前記部屋情報に対応する前記最適配置情報および前記風量下限値情報を、前記データベースから抽出し、前記情報出力部は、前記配置抽出部が抽出した前記最適配置情報および前記風量下限値情報を出力することが好ましい。
【００１４】
この発明において、前記配置抽出部が抽出した前記送風装置の設置位置に前記送風装置を移動させる移動制御部を備えることが好ましい。
【００１５】
本発明の気流設定支援システムは、互いに連通した複数の部屋を有する空間内の温熱環境を変動させる空気調和装置を１つ以上の前記部屋に設け、前記空間内に送風装置を配置することによって前記空間内に気流を発生させる空気調和システムに用いられる気流設定支援システムであって、前記空間における前記部屋の間取りおよび前記空気調和装置の配置に関する部屋情報を設定する部屋情報設定部と、前記部屋の間取りと前記空気調和装置の配置との組み合わせの各々に対応させて、前記送風装置の設置位置に関する最適配置情報を格納したデータベースと、前記部屋情報設定部が設定した前記部屋情報に対応する前記最適配置情報を、前記データベースから抽出する配置抽出部と、前記配置抽出部が抽出した前記最適配置情報を提示する情報提示部とを備えることを特徴とする。
【発明の効果】
【００１６】
以上説明したように、本発明では、最小限の空気調和装置を用いて、複数の部屋における快適性と省エネルギーとを両立させることができるという効果がある。
【図面の簡単な説明】
【００１７】
【図１】実施形態１の気流設定支援装置を用いたシステム構成を示すブロック図である。
【図２】同上のシステムを設置した家屋の間取りを示す平面図である。
【図３】（ａ）（ｂ）同上の最適配置情報の作成手順を示す概略図である。
【図４】（ａ）（ｂ）同上の最適配置情報を示す概略図である。
【図５】（ａ）〜（ｄ）同上の間取りパターンを示す平面図である。
【図６】同上の送風装置の設置位置および送風方向を示した平面図である。
【図７】実施形態２のシステムを設置した家屋の間取りを示す平面図である。
【図８】同上の気流設定支援装置を用いたシステム構成を示すブロック図である。
【図９】実施形態４の気流設定支援装置の構成を示す概略図である。
【図１０】同上の気流設定支援装置を示すブロック図である。
【発明を実施するための形態】
【００１８】
以下、本発明の実施の形態を図面に基づいて説明する。
【００１９】
（実施形態１）
図２は、本実施形態の空気調和システムを設置した家屋Ｈ１の間取りを示す平面図であり、家屋Ｈ１は、部屋Ｒ１〜Ｒ４の４部屋を有する。家屋Ｈ１の一端にはリビングとして用いられる最も広い部屋Ｒ１が位置し、部屋Ｒ２がリビングＲ１の左側に隣接している。さらに、リビングＲ１の左側から家屋Ｈ２の他端方向に設けられた廊下Ｑ１の両側に部屋Ｒ３，Ｒ４がそれぞれ位置している。すなわち、部屋Ｒ１〜Ｒ４は、ドアやふすま等を挟んで直接連通した構造、または廊下Ｑ１を通って間接的に連通した構造を有する。なお、部屋Ｒ１を他の部屋と識別する場合には、リビングＲ１と称す。
【００２０】
部屋Ｒ２に対向するリビングＲ１の右壁面には、空気調和装置であるエアコン２が設置されている。そして、１乃至複数の送風装置３を家屋Ｈ１内に設置し、送風装置３を運転することによって、家屋Ｈ１内に気流を発生させ、エアコン２から吹き出される冷気（夏季）、暖気（冬季）を、部屋Ｒ１〜Ｒ４に効率的に循環させることができる。
【００２１】
このように、空気調和システムは、複数の部屋Ｒ１〜Ｒ４を有する家屋Ｈ１（空間）内の温熱環境を変動させるエアコン２をリビングＲ１に設け、家屋Ｈ１内に送風装置３を配置することによって家屋Ｈ１内に気流を発生させて、家屋Ｈ１内の温熱環境を調整する。
【００２２】
本実施形態の気流設定支援システムは、上記のような空気調和システムに用いられており、その構成を図１に示す。
【００２３】
家屋Ｈ１には、ユーザが操作するパーソナルコンピュータ４（以降、パソコン４と略称する）が設置されており、気流設定支援装置１は、宅内ＬＡＮ、インターネット等を含むネットワークＮＴを介してパソコン４に接続している。そして、気流設定支援装置１は、部屋情報取得部１１と、温度情報取得部１２と、データベース１３と、配置抽出部１４と、情報出力部１５と、配置評価部１６とを備える。
【００２４】
そして、パソコン４のユーザ操作によって、家屋Ｈ１における部屋Ｒ１〜Ｒ４の間取りおよびエアコン２の配置に関する部屋情報が入力され（部屋情報設定部）、部屋情報取得部１１は、ネットワークＮＴを介して部屋情報を取得して、配置抽出部１４に部屋情報を一時格納する。ここでは、図２に示す部屋Ｒ１〜Ｒ４の間取り、およびエアコン２の配置が部屋情報として設定される。なお、部屋の間取りおよびエアコンの配置の組み合わせパターンをパソコン４に予め格納しておき、ユーザは、パソコン４に表示させた組み合わせパターンから、家屋Ｈ１における部屋Ｒ１〜Ｒ４の間取りおよびエアコン２の配置に最も近いパターンを選択してもよい。
【００２５】
データベース１３は、部屋の間取りとエアコン２の配置との組み合わせパターンの各々に対応させて、送風装置３の配置（設置位置および送風方向）に関する最適配置情報を格納しており、以下、この最適配置情報について説明する。
【００２６】
最適配置情報は、エアコン２から吹き出される冷気、暖気を、全ての部屋に効率的に循環させることができる送風装置３の配置（設置位置および送風方向）を示す情報である。すなわち、部屋の間取りおよびエアコン２の配置の複数の組み合わせパターンの各々に適した送風装置３の設置位置および送風方向を、実試験、シミュレーション等によって予め決定し、そのデータを最適配置情報としてデータベース１３に格納しておく。
【００２７】
この最適配置情報の作成手順の概略について、図３（ａ）（ｂ）を用いて説明する。例えば、右側壁にエアコン２を設置したリビングＲ１を送風装置３の設置対象とした場合、リビングＲ１を複数の領域（図３（ａ）では６つの領域Ｒ１１〜Ｒ１６）に分割する。そして、領域Ｒ１１〜Ｒ１６の各々の略中央に送風装置３を順次設置し、さらに送風装置３の送風方向を、例えば図３（ｂ）に示すように予め決められた８方向に順次変えて、リビングＲ１から他の部屋につながっている廊下Ｑ１の室温を測定する。
【００２８】
そして、冷房時には、廊下Ｑ１の室温が最も低くなる送風装置３の設置位置および送風方向を、図３（ａ）に示す領域Ｒ１１〜Ｒ１６、および図３（ｂ）に示す８方向から決定する。また、暖房時には、廊下Ｑ１の室温が最も高くなる送風装置３の設置位置および送風方向を、図３（ａ）に示す領域Ｒ１１〜Ｒ１６、および図３（ｂ）に示す８方向から決定する。すなわち、リビングＲ１内に設置したエアコン２が吹き出す冷気、暖気が、リビングＲ１から廊下Ｑ１に向かって発生する気流によって、廊下Ｑ１へ効率的に流れ込む送風装置３の設置位置および送風方向を決定するのである。
【００２９】
例えば、図４（ａ）では、リビングＲ１の四壁のうち、廊下Ｑ１に対向する壁面にエアコン２を設置している。この場合、リビングＲ１内の右側に偏倚した位置Ｘ１に送風装置３を配置することによって、気流が廊下Ｑ１へ効率的に流れ込み、廊下Ｑ１の両側に設けられた部屋Ｒ３，Ｒ４へもリビングＲ１からの気流が循環し易くなる。
【００３０】
また、図４（ｂ）では、リビングＲ１の四壁のうち、部屋Ｒ２に対向する右壁面にエアコン２を設置している。この場合、廊下Ｑ１につながる出入口付近の位置Ｘ２に送風装置３を配置することによって、気流が廊下Ｑ１へ効率的に流れ込み、廊下Ｑ１の両側に設けられた部屋Ｒ３，Ｒ４へもリビングＲ１からの気流が循環し易くなる。
【００３１】
而して、図４（ａ）の構造に対応する最適配置情報では、リビングＲ１の右側に偏倚した位置Ｘ１が設置位置となり、廊下Ｑ１につながる出入口方向が送風方向となる。また、図４（ｂ）の構造に対応する最適配置情報では、廊下Ｑ１につながる出入口付近の位置Ｘ２が設置位置となり、廊下Ｑ１につながる出入口方向が送風方向となる。また、リビングＲ１内の冷気を部屋Ｒ２へ流れ込ませるために、別の送風装置３をリビングＲ１内に配置してもよい。
【００３２】
次に、廊下Ｑ１を送風装置３の設置対象として、送風装置３の設置位置および送風方向の決定処理を上記同様に行う。すなわち、廊下Ｑ１から部屋Ｒ３，Ｒ４に向かって発生する気流によって、廊下Ｑ１内の冷気が部屋Ｒ３，Ｒ４へ効率的に流れ込む送風装置３の設置位置および送風方向を決定するのである。
【００３３】
また、部屋Ｒ３，Ｒ４から、さらに別の部屋がつながる場合、部屋Ｒ３，Ｒ４を送風装置３の設置対象として、送風装置３の設置位置および送風方向の決定処理を上記同様に行う。すなわち、部屋Ｒ３，Ｒ４から別の部屋に向かって発生する気流によって、部屋Ｒ３，Ｒ４内の冷気が別の部屋へ効率的に流れ込む送風装置３の設置位置および送風方向を決定するのである。
【００３４】
このようにして、図４（ａ）（ｂ）に示す部屋の間取りおよびエアコン２の配置の組み合わせパターンに適した送風装置３の設置位置および送風方向を決定した後、この決定内容を、最適配置情報としてデータベース１３に格納する。
【００３５】
そして、部屋の間取りとエアコン２の配置との組み合わせパターンを順次変更して、最適配置情報を作成し、部屋の間取りとエアコン２の配置との様々な組み合わせパターンに対応する最適配置情報をデータベース１３に格納する。
【００３６】
例えば、図５（ａ）〜（ｄ）に示すように、３ＬＤＫの４つの間取りパターンＰ１〜Ｐ４の各々において、最も広い部屋であるリビングＲ１にエアコン２が設置されるものとする。そして、リビングＲ１を囲む４つの壁面の各々にエアコン２を順次設置し、エアコン２の設置位置毎に適した送風装置３の配置を最適配置情報とする。この場合、１つの間取りパターンについて、エアコン２の設置位置が異なる４つの最適配置情報が存在する。
【００３７】
なお、部屋の間取りとエアコン２の配置との組み合わせパターンは、上述の例に限定されず、例えば、２ＬＤＫ、３ＬＤＫ、４ＬＤＫ等の広く普及している部屋の間取りを用いた組み合わせパターンであればよい。
【００３８】
そして、配置抽出部１４は、部屋情報取得部１１が取得した部屋情報に対応する最適配置情報を、データベース１３から検索して抽出する。すなわち、抽出した最適配置情報は、図２に示す部屋Ｒ１〜Ｒ４の間取りおよびエアコン２の配置に適した送風装置３の設置位置および送風方向となる。なお、配置抽出部１４は、部屋情報取得部１１が取得した部屋情報に最も近い部屋の間取りおよびエアコンの配置に対応する最適配置情報を抽出してもよい。
【００３９】
そして、情報出力部１５は、配置抽出部１４が抽出した最適配置情報を、ネットワークＮＴを介してパソコン４へ送信する。
【００４０】
パソコン４は、図６に示すように、家屋Ｈ１の間取り上に送風装置３の設置位置および送風方向を示した平面図を表示する（情報提示部）。ユーザは、パソコン４が提示した最適配置情報に基づいて、送風装置３の設置位置および送風方向を把握し、表示された最適配置情報にしたがって家屋Ｈ１内に送風装置３を配置する。配置される送風装置３は、本システムの専用品、一般の汎用品のいずれでもよい。
【００４１】
このように、ユーザは、部屋Ｒ１〜Ｒ４の間取りおよびエアコン２の配置に関する部屋情報を入力することによって、エアコン２から吹き出される冷気、暖気を、全ての部屋Ｒ１〜Ｒ４に効率的に循環可能な送風装置３の配置について、助言を受けることができる。この助言の目的は、最小限（この場合はリビングＲ１に設置した１台）のエアコン２の動作によって、リビングＲ１以外の部屋Ｒ２〜Ｒ４の室温も、リビングＲ１の室温近傍に調整することであり、ユーザはこの目的を達成したか否かを確認できる。
【００４２】
したがって、上記のような空気調和システムに気流設定支援装置１を用いることによって、各部屋にエアコン２を設置することなく、最小限のエアコン２を用いて、複数の部屋における快適性と省エネルギーとを両立させることが可能となる。
【００４３】
また、屋内Ｈ１内には、室温を計測する温度計測部６（６１，６２，６３，．．．）が設置されている。図２においては、部屋Ｒ１〜Ｒ４の各々の室温を計測する温度計測部６１〜６４が、部屋Ｒ１〜Ｒ４の中央、出入口等に設置されている。そして、温度計測部６１〜６４は、家屋Ｈ１内に設置されたデータ処理装置５との間で、無線通信または有線通信を用いて情報授受可能に構成されている。
【００４４】
データ処理装置５は、図１に示すように、データ受信部５１と、データ送信部５２とで構成されている。データ受信部５１は、温度計測部６１〜６４から、部屋Ｒ１〜Ｒ４の各々の室温である温度情報を受信し、データ送信部５２は、ネットワークＮＴを介して、気流設定支援装置１へ温度情報を送信する。また、データ処理装置５は、温度計測部６１〜６４から受信した温度情報を一時格納するバッファ機能を有していてもよい。
【００４５】
そして、家屋Ｈ１内に設置した送風装置３を駆動させた後、パソコン４のユーザ操作によって指示された温度情報取得部１２は、温度計測部６１〜６４が測定した部屋Ｒ１〜Ｒ４の各々の室温である温度情報をデータ処理装置５から取得する。温度情報取得部１２が取得した温度情報は、配置評価部１６に送信される。また、温度情報取得部１２は、データ処理装置５から定期的（１〜複数回／日）に温度情報を自動取得してもよい。また、温度情報をパソコン４に一時格納し、パソコン４のユーザ操作によって、気流設定支援装置１へ温度情報を送信してもよい。
【００４６】
なお、パソコン４のユーザ操作によって、温度計測部６１〜６４の設置位置の情報が、気流設定支援装置１へ予め送信されており、配置評価部１６は、温度計測部６１〜６４の各計測結果を、部屋Ｒ１〜Ｒ４に対応付けることができる。
【００４７】
さらに、パソコン４のユーザ操作によって、冷房モード、暖房モードのいずれかが選択され、この選択結果は気流設定支援装置１へ送信されて、配置評価部１６は、エアコン２の運転モードが冷房モード、暖房モードのいずれであるかを把握できる。
【００４８】
配置評価部１６は、温度情報に基づく部屋Ｒ１〜Ｒ４の各々の室温を温度閾値と比較し、送風装置３が適切に配置されているか否かを判定することで、送風装置３の設置位置および送風方向のフィードバック評価を行う。
【００４９】
温度閾値は、部屋の間取りとエアコン２の配置との組み合わせパターンの各々に対応させて、エアコン２の目標温度に応じて変動しており、冷房モード、暖房モードで互いに異なる値に設定される。さらには、部屋毎に異なる温度閾値を設定してもよい。この温度閾値は、最適配置情報の作成時に行った実試験、シミュレーション等の結果を用いて設定される。例えば、図２に示す家屋Ｈ１の間取りにおいて、冷房モード時におけるエアコン２の目標温度を２８℃に設定した場合、リビングＲ１の温度閾値を２８℃、部屋Ｒ２の温度閾値を２８℃、部屋Ｒ３，Ｒ４の温度閾値を２９℃に設定する。
【００５０】
そして、冷房モード時において、配置評価部１６は、部屋Ｒ１〜Ｒ４の各室温を冷房モードの温度閾値と比較し、室温が温度閾値以下であるか否かを判定する。配置評価部１６は、室温が温度閾値以下であれば、送風装置３が、最適配置情報に沿った適切な設置位置および送風方向に配置されていると判断する。また、配置評価部１６は、室温が温度閾値を超えていれば、送風装置３が、最適配置情報に沿った適切な設置位置および送風方向に配置されていないと判断する。
【００５１】
また、暖房モード時において、配置評価部１６は、部屋Ｒ１〜Ｒ４の各室温を暖房モードの温度閾値と比較し、室温が温度閾値以上であるか否かを判定する。配置評価部１６は、室温が温度閾値以上であれば、送風装置３が、最適配置情報に沿った適切な設置位置および送風方向に配置されていると判断する。また、配置評価部１６は、室温が温度閾値未満であれば、送風装置３が、最適配置情報に沿った適切な設置位置および送風方向に配置されていないと判断する。
【００５２】
情報出力部１５は、配置評価部１６の判断結果（室温と温度閾値との比較結果や、温度閾値の情報が含まれていてもよい）を最適配置情報とともに、ネットワークＮＴを介してパソコン４へ送信する。パソコン４は、配置評価部１６の判断結果を、最適配置情報とともに表示する。そして、送風装置３が適切な設置位置および送風方向に配置されていない場合、ユーザは、最適配置情報にしたがって送風装置３の再配置を行い、配置評価部１６による送風装置３の設置位置および送風方向のフィードバック評価を再度行う。
【００５３】
このように、ユーザは、送風装置３によって発生した気流の効果を確認でき、送風装置３の配置が正しいか否かを判断できる。また、送風装置３の配置が正しくない場合は、送風装置３の配置について、助言を再度受けることができる。
【００５４】
また、気流設定支援装置１が、複数の家屋における気流設定支援を行う場合、データ処理装置５）は、設置された家屋毎に固有の識別情報が登録されており、この識別情報を付加した温度情報を、気流設定支援装置１へ送信する。気流設定支援装置１は、温度情報に付加された識別情報に基づいて、家屋毎のデータ管理を行う。
【００５５】
（実施形態２）
本実施形態における最適配置情報の作成手順の概略について、図３（ａ）（ｂ）を用いて説明する。例えば、右側壁にエアコン２を設置したリビングＲ１を送風装置３の設置対象とした場合、リビングＲ１を複数の領域（図３（ａ）では６つの領域Ｒ１１〜Ｒ１６）に分割する。そして、領域Ｒ１１〜Ｒ１６の各々の略中央に送風装置３を順次設置し、さらに送風装置３の送風方向を、例えば図３（ｂ）に示すように予め決められた８方向に順次変えて、リビングＲ１から廊下Ｑ１へ流れ込む風量を測定する。そして、廊下Ｑ１へ流れ込む風量が最も大きくなる送風装置３の設置位置および送風方向を、図３（ａ）に示す領域Ｒ１１〜Ｒ１６、および図３（ｂ）に示す８方向から決定する。この決定した送風装置３の設置位置および送風方向を、最適配置情報としてデータベース１３に格納しておく。
【００５６】
上記処理を繰り返すことにより、部屋の間取りとエアコン２の配置との組み合わせパターンの各々に対応させて、送風装置３の配置（設置位置および送風方向）に関する最適配置情報を、データベース１３に予め格納する。
【００５７】
そして、配置抽出部１４は、部屋情報取得部１１が取得した部屋情報に対応する最適配置情報を、データベース１３から検索して抽出し、情報出力部１５は、配置抽出部１４が抽出した最適配置情報を、ネットワークＮＴを介してパソコン４へ送信する。パソコン４は、図６に示すように、家屋Ｈ１の間取り上に送風装置３の設置位置および送風方向を示した平面図を表示する。ユーザは、パソコン４が提示した最適配置情報に基づいて、送風装置３の設置位置および送風方向を把握し、表示された最適配置情報にしたがって家屋Ｈ１内に送風装置３を配置する。
【００５８】
ここで本実施形態では、図７に示すように、風量および風向を計測する風力計測部７（７１，７２，７３，．．．）が屋内Ｈ１内に設置されている。図７においては、部屋Ｒ１〜Ｒ４の各々の風量および風向を計測する風力計測部７１〜７４が部屋Ｒ１〜Ｒ４の中央、出入口等に設置されている。そして図８に示すように、風力計測部７１〜７４は、家屋Ｈ１内に設置されたデータ処理装置５との間で、無線通信または有線通信を用いて情報授受可能に構成されている。
【００５９】
データ処理装置５において、データ受信部５１は、風力計測部７１〜７４から、部屋Ｒ１〜Ｒ４の各々の風量および風向である風力情報を受信し、データ送信部５２は、ネットワークＮＴを介して、気流設定支援装置１へ風力情報を送信する。また、データ処理装置５は、風力計測部７１〜７４から受信した温度情報を一時格納するバッファ機能を有していてもよい。
【００６０】
さらに、気流設定支援装置１は、風力情報取得部１７を備えている（図８参照）。そして、最適配置情報に基づいて家屋Ｈ１内に設置した送風装置３を駆動させた後、パソコン４のユーザ操作によって指示された風力情報取得部１７は、風力計測部７１〜７４が測定した部屋Ｒ１〜Ｒ４の各々の風量および風向である風力情報をデータ処理装置５から取得する。風力情報取得部１７が取得した風力情報は、配置評価部１６に送信される。また、風力情報取得部１７は、データ処理装置５から定期的（１〜複数回／日）に風力情報を自動取得してもよい。また、風力情報をパソコン４に一時格納し、パソコン４のユーザ操作によって、気流設定支援装置１へ風力情報を送信してもよい。
【００６１】
なお、パソコン４のユーザ操作によって、風力計測部７１〜７４の設置位置の情報が、気流設定支援装置１へ予め送信されており、配置評価部１６は、風力計測部７１〜７４の各計測結果を、部屋Ｒ１〜Ｒ４に対応付けることができる。
【００６２】
配置評価部１６は、風力情報に基づいて、部屋Ｒ１〜Ｒ４の各々の風量および風向を決められた風量閾値および基準風向と比較し、送風装置３が適切に配置されているか否かを判定することで、送風装置３の設置位置および送風方向のフィードバック評価を行う。
【００６３】
風量閾値および基準風向は、部屋の間取りとエアコン２の配置との組み合わせパターンの各々に対応させて設定されており、さらに、風量閾値は、部屋毎に互いに異なる風量閾値を設定してもよい。この風量閾値および基準風向は、最適配置情報の作成時に行った実試験、シミュレーション等の結果を用いて設定される。
【００６４】
そして、配置評価部１６は、部屋Ｒ１〜Ｒ４の各風量および風向を風量閾値および基準風向と比較し、風量が風量閾値以上であるか否か、風向が基準風向と略一致しているか否かを判定する。配置評価部１６は、風量が風量閾値以上、且つ風向が基準風向と略一致していれば、送風装置３が、最適配置情報に沿った適切な設置位置および送風方向に配置されていると判断する。また、配置評価部１６は、風量が風量閾値未満、または風向が基準風向と略一致していなければ、送風装置３が、最適配置情報に沿った適切な設置位置および送風方向に配置されていないと判断する。
【００６５】
情報出力部１５は、配置評価部１６の判断結果（風量と風量閾値との比較結果、風向と基準風向との比較結果や、風量閾値、基準風向の情報が含まれていてもよい）を最適配置情報とともに、ネットワークＮＴを介してパソコン４へ送信する。パソコン４は、配置評価部１６の判断結果を、最適配置情報とともに表示する。そして、送風装置３が適切な設置位置および送風方向に配置されていない場合、ユーザは、最適配置情報にしたがって送風装置３の再配置を行い、配置評価部１６による送風装置３の設置位置および送風方向のフィードバック評価を再度行う。
【００６６】
このように、ユーザは、送風装置３によって発生した気流の効果を確認でき、送風装置３の配置が正しいか否かを判断できる。また、送風装置３の配置が正しくない場合は、送風装置３の配置について、助言を再度受けることができる。
【００６７】
なお、他の構成は実施形態１と同様であり、同様の構成には同一の符号を付して説明は省略する。
【００６８】
（実施形態３）
本実施形態の気流設定支援装置１は、実施形態１または実施形態２と同様の構成を備えており、同様の構成には同一の符号を付して説明は省略する。
【００６９】
まず、気流設定支援装置１のデータベース１３には、送風装置３の配置（設置位置および送風方向）に関する最適配置情報だけでなく、送風装置３の風量下限値に関する風量下限値情報が予め格納されている。
【００７０】
最適配置情報では、部屋の間取りとエアコン２の配置との組み合わせパターンの各々に対応させて、送風装置３の設置位置および送風方向が指示されている。そして、風量下限値情報は、最適配置情報において設置位置および送風方向が指示されている送風装置３の各々が発生する風量の下限値を指示している。
【００７１】
これは、送風装置３の風量が大きければ、より強い気流が発生し、エアコン２から吹き出される冷気、暖気を、全ての部屋Ｒ１〜Ｒ４により確実に循環させることができる。しかし、送風装置３の風量を大きくした場合、送風装置３の消費電力量が増加し、省エネルギー化に反することになる。
【００７２】
そこで、エアコン２から吹き出される冷気、暖気を全ての部屋Ｒ１〜Ｒ４に循環させることができる風量の下限値を、最適配置情報の作成時に行った実試験、シミュレーション等によって予め導出しておく。そして、この導出結果に基づいて作成した風量下限値情報を、データベース１３に予め格納しておく。
【００７３】
そして、配置抽出部１４は、部屋情報取得部１１が取得した部屋情報に対応する最適配置情報を、データベース１３から検索して抽出し、さらにこの抽出した最適配置情報に対応する風量下限値情報もデータベース１３から検索して抽出する。
【００７４】
情報出力部１５は、配置抽出部１４が抽出した最適配置情報および風量下限値情報を、ネットワークＮＴを介してパソコン４へ送信する。パソコン４は、家屋Ｈ１の間取り上に送風装置３の設置位置および送風方向を示した平面図を、各送風装置３の風量下限値とともに表示する。ユーザは、パソコン４が提示した最適配置情報に基づいて、送風装置３の設置位置および送風方向を把握し、表示された最適配置情報にしたがって家屋Ｈ１内に送風装置３を配置する。
【００７５】
そして、設置した送風装置３の風量を、風量下限値（またはその近傍）に設定することによって、送風装置３の消費電力量を抑制し、省エネルギー化を図ることができる。なお、風量下限値情報は、風量の具体的な値「ｍ３／ｈ」、「ｍ３／ｍｉｎ」で表示されてもよく、または送風装置３の運転強度「強」「中」「弱」で表示されてもよい。
【００７６】
（実施形態４）
本実施形態の気流設定支援装置１は、図１０に示すように、移動制御部１８を備えるものであり、実施形態１乃至３いずれかと同様の構成には同一の符号を付して説明は省略する。
【００７７】
まず、図９に示すように、家屋Ｈ１内の天井、壁等の構造面にレール８が敷設されている。そして、送風装置３は、図示しないモータ等の駆動手段、駆動手段によって回転駆動される走行輪および送風方向可変手段等を備えており、レール８に付設した給電線から電力が供給されることによって、レール８上を移動自在、送風方向を可変自在に構成されている。
【００７８】
そして移動制御部１８は、配置抽出部１４がデータベース１３から抽出した最適配置情報に基づいて、無線通信または有線通信を用いて、送風装置３へ制御信号を送信し、送風装置３の位置制御および送風方向制御を行う。制御信号を受信した送風装置３は、レール８上を移動して、設置位置および送風方向が制御され、最適配置情報に基づいた配置（設置位置および送風方向）に自動制御される。
【００７９】
移動制御部１８は、移動距離と屋内Ｈ１内の位置との関係（マップ情報）を予め記憶しており、このマップ情報を用いて、移動距離、移動方向を送風装置３へ指示する。送風装置３は、走行輪等の回転数を検知する移動距離測定手段を備えており、レール８の一端を基準位置とした移動距離を測定し、この測定結果に基づいてフィードバック制御がなされる。
【００８０】
したがって、送風装置３の配置（設置位置および送風方向）は、最適配置情報に基づいて、エアコン２から吹き出される冷気、暖気を、全ての部屋Ｒ１〜Ｒ４に効率的に循環可能な配置に自動制御でき、ユーザの手間を省くことができる。
【００８１】
また、送風装置３に、温度計測手段または風量計測手段を設けて、実施形態１の温度計測部６、または実施形態２の風力計測部７としての機能を持たせてもよい。
【００８２】
なお、上述の各実施形態では、家屋Ｈ１内に１台のエアコン２のみを配置しているが、家屋Ｈ１内に複数台のエアコン２を配置してもよい。この場合、複数台のエアコン２の各々の配置を決定した上で、実試験、シミュレーション等によって最適配置情報を作成する。
【符号の説明】
【００８３】
１  気流設定支援装置
１１  部屋情報取得部
１２  温度情報取得部
１３  データベース
１４  配置抽出部
１５  情報出力部
１６  配置評価部
２  エアコン（空気調和装置）
３  送風装置
４  パソコン（部屋情報設定部、情報提示部）
６  温度計測部
Ｈ１  家屋（空間）
【図１】
2012145278.tif 000003
【図２】
2012145278.tif 000004
【図３】
2012145278.tif 000005
【図４】
2012145278.tif 000006
【図５】
2012145278.tif 000007
【図６】
2012145278.tif 000008
【図７】
2012145278.tif 000009
【図８】
2012145278.tif 000010
【図９】
2012145278.tif 000011
【図１０】
2012145278.tif 000012